(57)【要約】【課題】  記録媒体に空き容量があるときは記録を消去せず、空き容量の不足時には記録を中断することなく消去可能領域に映像を連続記録する映像信号記録方法を実現する。【解決手段】  撮影画像の映像シーケンスをランダムアクセス可能な記録媒体１８に記録する際の、空領域が不足した場合でも記録可能領域を確保して記録を継続できる撮像画像の記録方法を、映像シーケンス毎に記録された記録媒体１８の記録可能領域の検出を行い、記録可能領域で検出された検出信号に基づいて、記録可能領域が保存領域であるか消去可能領域であるかの判定を行って記録情報テーブル１４を作成し、記録可能領域が消去可能領域である場合に、空領域の容量が映像シーケンスの撮像画像で満たされたことが残り容量検知器１３で検出された後は、消去可能領域に記録媒体書込み読出し部１２で上書き記録するようにして実現した。【選択図】      図１
2005354451.tif 000002
【特許請求の範囲】
【請求項１】
撮影の開始から終了までを１つの映像シーケンスとして、被写体画像を撮像して得た複数の映像シーケンスを記録媒体に記録し、記録した複数の映像シーケンスのうちから特定の映像シーケンスにランダムアクセス可能とし、前記記録媒体の空領域が不足すると予想される場合に前記記録媒体上に記録可能領域を新たに確保して記録を継続できる撮像画像の記録方法であって、
前記記録媒体に映像シーケンスの既記録されている前記複数の映像シーケンスの一覧テーブルを作成し、前記一覧テーブルの中の消去可能な前記映像シーケンスに消去順位を付け、
前記消去可能としても良い前記映像シーケンスのうちの消去順位の高い順から当該記録領域を消去可能領域とし、前記空領域が前記映像シーケンスの前記撮像画像で満たされた後は、前記選択された消去可能領域に上書き記録することを特徴とする撮像画像の記録方法。
【請求項２】
撮影の開始から終了までを１つの映像シーケンスとして、被写体画像を撮像して得た複数の映像シーケンスを所定フレーム毎の画像に分割した後、圧縮符号化して得られた符号化映像シーケンスを記録媒体に記録し、記録した複数の符号化映像シーケンスのうちから特定の符号化映像シーケンスにランダムアクセス可能とし、前記記録媒体の空領域が不足すると予想される場合に前記記録媒体上に記録可能領域を新たに確保して記録を継続できる撮像画像の記録方法であって、
前記記録媒体に記録されている前記符号化映像シーケンスの一覧テーブルを作成し、前記一覧テーブルの中の消去可能な前記符号化映像シーケンスに消去順位を付け、
前記消去可能としても良い前記符号化映像シーケンスのうちの消去順位の高い順から当該記録領域を消去可能領域とし、前記空領域が前記符号化映像シーケンスの前記撮像画像で満たされた後は、前記選択された消去可能領域に前記所定フレームの先頭部分から上書き記録することを特徴とする撮像画像の記録方法。
【発明の詳細な説明】
【技術分野】
【０００１】
本発明は、ランダムアクセス可能な記録媒体に映像信号を記録すると共に、記録媒体の空き領域が不足したときに消去可能な記録部分に映像信号を上書きするようにして撮影して得られる撮像画像の連続記録動作を連続して行う撮像画像の記録方法に関する。
【背景技術】
【０００２】
従来のビデオカセットを用いるビデオカメラではビデオテープの終端で記録が終了される。しかしＤＶＤレコーダのようにランダムアクセス可能な記録媒体を用いるＤＶＤ形ビデオカメラの場合では媒体の最後まで記録した後に、予め消去した領域があるときにはそこにアクセス移動することにより映像の記録を継続できる。
特許文献１には、記録時にその記録部分を削除するスイッチ操作を行うと、次に行う記録はその記録部分の最初の位置から開始するようにして不要とされる記録部分から上書き記録を行う記録再生方法が開示されている。
特許文献２には、記録媒体の空き容量が不足するときには、その空き容量の不足をランプにより表示する。予め設定された優先順位を基にして消去ファイル名を表示し、使用者の操作による消去命令により選択されたファイルを消去し、そこに記録を継続する。消去操作を行わない場合には記録媒体の最初の位置から上書きを行うようにしたハードディスクレコーダが開示されている。
【特許文献１】特開２００３−２１７２６８号公報
【特許文献１】実用新案登録第３０８９１６５号公報
【発明の開示】
【発明が解決しようとする課題】
【０００３】
しかしながら、特許文献１による方法では消去用のスイッチ操作を行って直後のファイルは直ちに新しい信号が上書き記録されるため、記録媒体に空き領域がある場合であっても消去許可として記録された信号部分は再生されてしまうため、次の信号を上書き記録した記録部分はもはや再生することは出来ない。空き領域がある状態であるにも関わらず記録が消去されてしまう、即ち媒体の記録領域を有効に活用しているとは言えない。
また、特許文献２による方法では、記録媒体の空き容量が不足するときにランプにより警告され、そこで不要な記録番組の消去を行い、記録領域を確保する。しかし、目的を持って記録動作を行っているときに警告が出されたり、空き容量の確保を行わなければならない場合では、記録実行中にその記録には直接関係しない消去のための作業を行うことは煩雑であり好ましくない。そのための時間ロスにより、例えば録画を希望する放送番組の最初の部分の記録を失敗する、またカメラ映像の撮影中の場合では決定的な撮影チャンスを逃してしまうなどが生じてしまうなど記録媒体の容量が不足したときに記録を連続して行うことが出来なかった。
【０００４】
そこで、本発明は、上記のような問題点を解消するためになされたもので、記録媒体に空き容量がある場合には消去可能として指定される映像を消去せずに保存しておくと共に、空き容量が不足する場合であっても入力される映像信号の記録を中断することなく、消去可能とされる領域への記録を連続して行うようにした撮像画像の記録方法を提供することを目的とする。また、領域切換え時に回転変動などによる時間の不一致が生じる場合であっても連続して再生可能な圧縮符号化された映像信号を記録可能とする。
【課題を解決するための手段】
【０００５】
本願発明における第１の発明は、撮影の開始から終了までを１つの映像シーケンスとして、被写体画像を撮像して得た複数の映像シーケンスを記録媒体に記録し、記録した複数の映像シーケンスのうちから特定の映像シーケンスにランダムアクセス可能とし、前記記録媒体の空領域が不足すると予想される場合に前記記録媒体上に記録可能領域を新たに確保して記録を継続できる撮像画像の記録方法であって、前記記録媒体に映像シーケンスの既記録されている前記複数の映像シーケンスの一覧テーブルを作成し、前記一覧テーブルの中の消去可能な前記映像シーケンスに消去順位を付け、前記消去可能としても良い前記映像シーケンスのうちの消去順位の高い順から当該記録領域を消去可能領域とし、前記空領域が前記映像シーケンスの前記撮像画像で満たされた後は、前記選択された消去可能領域に上書き記録することを特徴とする撮像画像の記録方法を提供する。
第２の発明は、撮影の開始から終了までを１つの映像シーケンスとして、被写体画像を撮像して得た複数の映像シーケンスを所定フレーム毎の画像に分割した後、圧縮符号化して得られた符号化映像シーケンスを記録媒体に記録し、記録した複数の符号化映像シーケンスのうちから特定の符号化映像シーケンスにランダムアクセス可能とし、前記記録媒体の空領域が不足すると予想される場合に前記記録媒体上に記録可能領域を新たに確保して記録を継続できる撮像画像の記録方法であって、前記記録媒体に記録されている前記符号化映像シーケンスの一覧テーブルを作成し、前記一覧テーブルの中の消去可能な前記符号化映像シーケンスに消去順位を付け、前記消去可能としても良い前記符号化映像シーケンスのうちの消去順位の高い順から当該記録領域を消去可能領域とし、前記空領域が前記符号化映像シーケンスの前記撮像画像で満たされた後は、前記選択された消去可能領域に前記所定フレームの先頭部分から上書き記録することを特徴とする撮像画像の記録方法を提供する。
【発明の効果】
【０００６】
本発明によれば、記録媒体に映像シーケンスの既記録されている複数の映像シーケンスの一覧テーブルを作成し、一覧テーブルの中の消去可能な映像シーケンスに消去順位を付け、消去可能としても良い映像シーケンスのうちの消去順位の高い順から記録領域を消去可能領域とし、空領域が映像シーケンスの撮像画像で満たされた後は、選択された消去可能領域に上書き記録する格別な構成があるので、操作を簡便化し、目的とする映像信号の記録を逸することのない記録ができるなど、媒体の記録容量を有効に利用した映像信号の記録ができる。
また、映像シーケンスを所定フレーム毎の画像に分割した後、圧縮符号化して得られた符号化映像シーケンスを選択された消去可能領域に所定フレームの先頭部分から上書き記録する格別な構成を有しているので、仮に領域切換え時に記録媒体の回転変動などによる時間の不一致が生じる場合であっても圧縮符号化された信号は所定フレームの先頭部分から連続して記録され、及び再生されるため、再生映像に誤り信号が含まれることを防止できる。
【発明を実施するための最良の形態】
【０００７】
以下に本発明の撮像画像の記録方法に係る映像信号記録再生装置について図１〜図１０を用いて説明する。
図１は、本発明の実施に係る映像信号記録再生装置の概略構成例を示したブロック図である。
図２は、本発明の実施に係る上書き禁止に係る操作方法を提示する表示画面例の図である。
図３は、本発明の実施に係る記録媒体における上書き動作を説明するための図である。
図４は、本発明の実施に係る上書き情報テーブルの記述例を示した図である。
図５は、本発明の実施に係る記録領域と符号化データの関係を例示した図である。
図６は、本発明の実施に係る記録媒体における上書き動作の応用例を示した図である。
図７は、本発明の実施に係る上書き情報テーブルの記述応用例を示した図である。
図８は、本発明の実施に係る上書き記録の動作をフローチャートにより例示した図である。
図９は、本発明の実施に係る記録媒体における上書き動作を説明するための図である。
図１０は、本発明の実施に係る記録領域情報テーブルの記述例を示した図である。
【０００８】
映像信号記録再生装置の構成について述べる。
図１に示す映像信号記録再生装置は、バッファ圧縮符号化部１１、記録媒体書込み読出し部１２、残り容量検出部１３、記録領域情報テーブル作成部１４、上書き許可領域情報テーブル作成部１５、上書許可／禁止命令発生部１６、表示部１７、及び記録媒体１８より構成される。バッファ圧縮符号化部１１には図示しないビデオカメラからの映像信号が入力される。上書許可／禁止命令発生部１６には撮影の開始及び終了に係る操作を行うと共に、操作により撮影、記録された映像を上書き許可の映像とするか又は保存するため上書き禁止とするかを指定する図示しない操作部が接続されている。
【０００９】
映像信号記録再生装置の動作について述べる。
まず、映像信号記録再生装置の電源が投入されたときに記録媒体１８に記録される領域管理情報が記録媒体書込み読出し部１２により読み出される。その領域管理情報は、撮影の開始及び終了操作がなされて記録された映像シーケンスごとの記録領域が上書き許可とされているか又は保存領域として指定されているかの情報である。読み出された領域管理情報は、記録領域情報テーブル作成部１４に入力され、記録領域情報テーブルが作成される。その記録領域情報テーブルには次の映像シーケンスの記録開始位置に係るアドレス情報も記述されている。
次に図示しない操作部が操作され、撮影が開始されて得られる図示しないビデオカメラから出力されるビデオ信号はバッファ圧縮符号化部１１に一時記憶されると共に記憶された映像信号は例えばＭＰＥＧ（moving picture experts group）−２による形式で符号化され、圧縮符号化信号が生成される。生成された圧縮符号化信号は、記録媒体１８に付されるアドレスのうち、上書き許可領域情報テーブルにより指定されるアドレスの位置から記録媒体１８に記録が開始される。
【００１０】
図示しない操作部が操作され、映像シーケンスの圧縮符号化信号の記録を終了したときに表示部１７には記録した映像シーケンスに係る記録領域を上書許可とするか又は上書き禁止とするかの操作方法が表示される。図示しない操作部が操作されて上書き禁止又は上書き許可のいずれかの上書き方法が指定される。
同様にして、順次発生される映像シーケンスが連続的に記録媒体１８に記録される。映像シーケンスの記録毎に記録領域情報テーブル作成部１４で記録領域情報テーブルが作成され、記録領域の上書き許可、又は上書き禁止が指定される。次の映像シーケンスの記録開始アドレスが指定される。
その記録中に記録媒体１８の空き領域がどの程度あるかが残り容量検出部１３により検出される。容量検出部１３により検出された空き領域がＭＰＥＧ−２により符号化されて得られる１つのＧＯＰ（Group of Picture）の符号量が記録できないとして検出されるときは、次のＧＯＰ単位の圧縮符号化信号は上書き許可とされる領域にアクセスされて上書き記録される。通常は上書き許可される領域が複数存在するためどの領域から順に上書き記録するかの順が、例えば内周の許可領域から外周の許可領域の順に記録を行うかが指定される。
記録媒体１８の終端部から上書き許可される領域まで、図示しない記録ヘッドをアクセス移動する間にも映像信号はバッファ圧縮符号化部１１に入力される。その間に記録待ちとされる映像信号はそこのバッファメモリに一時記憶される。映像信号は連続する信号として記録媒体１８に記録される。一連の映像シーケンスの記録が終了し、図示しない電源スイッチが操作されるときには上書き許可領域情報テーブル作成部１５に記憶される上書き許可領域情報テーブルの内容を基に記録領域情報テーブル作成部１４が更新され、記録媒体１８に記録された後に、電源がオフとされる。
【００１１】
図２は、表示部１７に映像シーケンス毎に表示される、記録した領域を上書き禁止とするか又は上書き許可とするかの操作方法の提示画面例である。画面の上部の左側には前回記録した映像シーケンスの最後の画面が表示され、右側には今回記録した映像シーケンスの開始画面が表示される。これらの画面により、上書き設定の対象となる映像シーケンスを使用者に対して明示できる。その表示画面を基に図示しない操作部の「●」ボタン(丸印ボタン)又は「Ｘ」ボタンが押される。誤入力の場合はキャンセルボタン「■」（四角印ボタン）が押され、再入力される。
なお、ここでは１つのシーケンス毎にボタンを操作する場合について述べた。そのときのボタン操作は上書き許可とする場合にのみ行う方法もある。その場合は明らかに消去許可とされる映像シーケンス以外は上書き禁止として設定されるケースが多くなる。上書き許可として処理される領域が少なくなる反面、撮影タイミングの要求される被写体の撮影失敗を防止することもできる。いずれの方法で行うかを設定できるようにする方法もあり、その方法は設計事項である。
【００１２】
図３と図４を用い、記録媒体１８になされる上書き動作を説明する。
図３において、横方向が記録媒体１８の記録方向である。その記録媒体１８がＲＡＭ（Random Access Memory）型ＤＶＤ（Digital versatile Disc）である場合には右側が外周方向である。第１の映像シーケンスが時刻ｔ０から開始される。図４に示す上書き情報テーブルの（ｕ１）において、時刻ｔ０において、記録順が０である記録が「ａ」の開始位置から記録され、その領域の状態が記録中であることを示している。ここで「ａ」は図３に示した記録位置Ａの右側に隣接する記録位置を示している。即ち、小文字で示される記録位置は大文字で示される記録位置の右側に隣接する位置を示している。
図３で、時刻ｔ０から時刻ｔ１まで行われた、記録媒体１８のＡからＢまでが第１記録領域である。時刻ｔ１で、図２に示す画面が提示され、「●」ボタンが操作されたときに第１記録領域は上書き禁止領域として設定される。図４の上書き許可領域情報テーブルの（ｕ１）に、記録順が０であり、記録の開始終了位置がＡ〜Ｂの領域状態は上書き禁止であるとして記述され、次の記録順が１の記録を記録位置ｂから開始されることが記述されている。
【００１３】
時刻ｔ１〜ｔ２の、領域Ｂ〜Ｃに記録された第２記録領域は上書き許可領域であるとして指定された第２の映像シーケンスの記録される領域である。上書き許可領域情報テーブル（ｕ２）には記録順０の領域Ａ〜Ｂは上記の通り上書き禁止とされ、記録順１の開始終了位置ｂ〜Ｃは上書き許可の領域である。記録順２の記録はｃから開始される。
時刻ｔ２から第３の映像シーケンスが記録される。時刻ｔ３において、残り容量検出部１３による記録媒体１８の空き容量が不足であるとして検出される。その後の第３の映像シーケンスは、ｔ２で上書き許可として指定された第２記録領域に記録が継続される。
図４の上書き許可領域情報テーブル（ｕ３）には記録順１に、ｂ〜Ｃの領域は上書き中であり、領域Ｃ〜Ｄは上書き処理が未定であり、且つ現在ｂから記録中であることを示している。
時刻ｔ４において第３の映像シーケンスが終了したときに第３−Ａ記録領域及び第３−Ｂ記録領域は上書き禁止として指定される。以下、同様にして上書き記録がなされ、時刻ｔ６において記録領域が不足であるとして検出され、その後は上書き許可として設定された第４記録領域に記録が継続される。以下、上書き許可領域情報テーブルには、上書き禁止として設定される個所は上書き禁止領域としてそれ以降の上書きを禁止すると共に、上書き許可として指定される領域は上書き許可領域として指定される。記録領域が不足したときには上書き許可領域にアクセスして記録を継続する。特に、上書き中にはその領域が上書き中であることを上書き許可領域情報テーブルにより管理する。記録中の領域であり上書許可又は禁止の操作がなされていない領域の領域状態は処理未定とし、処理が決定された直後に上書許可又は禁止領域として設定を行う。
一連の映像シーケンスの記録が終了し、映像信号記録再生装置の電源がオフとされるときには、記録領域情報テーブルに上書き許可領域情報テーブルを基に更新した記録領域情報テーブルを作成し、記録媒体１８に記録する。次の電源オン時に読み出して使用する動作を繰り返して行う。
【００１４】
図５を用い、記録媒体の残量が不足として検出される場合の記録領域と符号化データの関係についてさらに述べる。
圧縮符号化方式としてＭＰＥＧ−２を用いる場合は、通常１５フレームを単位とするＧＯＰ構造に区切られて符号化される。そのＧＯＰはＧＯＰヘッダと、１つのフレーム内符号化されるＩフレームと、片方向予測される複数のＰフレーム及び両方向予測される複数のＢフレームにより構成される。ＩフレームはそのＩフレーム単独で復号化が可能である。ＰフレームはＩフレームの復号結果を用いて復号化が可能である。ＢフレームはＩフレーム及びＰフレームの復号結果を用いて復号化が可能である。
記録された圧縮符号化データを再生するためにはＧＯＰヘッダとＧＯＰヘッダに続けて記録されるＧＯＰデータとが連続している必要がある。断続している場合は、断続されたデータをＲＡＭなどに一時記憶して連続データに変換して後に復号化を行う。その場合、断続するデータの個所で部分的なデータの欠損又は部分的な雑音の混入があるとそれ以降のＧＯＰのデータは正しく復号されなく、エラー伝播のされた映像信号となり好ましくない。
そこで、同図に示すように、ＧＯＰデータ記録後から残量不足検出位置までのデータ量が、ＧＯＰヘッダ及びＧＯＰデータのデータ量を記録できないデータ量であるとして検出されるときには次に記録すべき上書き許可領域をアクセスし、そこからの記録を行う。バッファ圧縮符号化部１１は通常の圧縮符号化部の他に映像信号を一時記憶するバッファを有しているため、図示しない記録ヘッドが第３−Ａ記録領域から第３−Ｂ記録領域にアクセスする間に生じるシークタイムに対しても連続した正常な圧縮符号化信号を記録することができる。
【００１５】
次に、図６及び図７を用いて記録媒体における上書き動作の応用例、及び上書き情報テーブルの記述応用例について述べる。
図６においてＬ〜Ｍの領域は既記録領域であり、この既記録領域を除いた領域に圧縮符号化信号を記録するようになす点で図３と異なっている。即ち、時刻ｔ１１から行う記録は時刻ｔ１２で残量不足を検出し、その後の記録はｍの位置から行う。
図７に示す記録領域情報テーブルは、記録順をｘとしてＬ〜Ｍの領域は既記録領域であることを記述している点で図４と異なっている。その他の基本的な動作は図３及び図４に示した動作と同様である。
【００１６】
図８に示すフローチャートにより上書き記録の動作について述べる。
まず、映像信号記録再生装置の電源が投入されたとき、撮影用カメラの電源がオンされ映像信号の入力が開始されたとき、ないしは映像信号記録再生装置が録画モードに設定されたときにＳ（ステップ）７１で記録媒体１８に記録される記録可能領域の情報を得る。その情報は未記録領域情報及び消去可能領域に係る領域情報である。
Ｓ７２で、録画開始のためのスタートボタンが操作されたかを検出する。検出されたときにはＳ７３で入力される映像信号をバッファ圧縮符号化部１１のメモリに一時記憶する。Ｓ７４で記憶された映像信号は必要に応じて読み出され、例えばＭＰＥＧ−２の符号化形式による圧縮符号化がなされる。Ｓ７５では、１ＧＯＰ分の圧縮符号化信号を連続して記録する記録領域が存在するかを検出し、存在するときにはそこに記録する。存在しないときにはＳ７７で記録ヘッドを上書き記録領域に移動させ、Ｓ７８でそこに映像を記録する。Ｓ７９で録画停止ボタンの操作が検出されるまでＳ７３〜Ｓ７９の動作を繰り返す。
【００１７】
Ｓ７９で録画停止操作が検出されたときはＳ８１でその後の記憶領域が十分にあるかが検出される。即ち、録画開始操作から録画終了操作までに入力される映像シーケンスは、記録媒体１８の内周から外周までの記録領域のうち近接する領域に記録するのが好ましい。同一映像シーケンスの信号が最外周の空き領域から記録を開始し、途中で最内周の上書き許可領域まで移動して記録を継続することは好ましくない。バッファ圧縮符号化部１１のメモリー容量を大きくすることで最外周から再内周までのアクセス時に生じるシークタイムを吸収する記録も可能ではある。しかし、１つの媒体当り１〜２回程度しか生じない時間の長いアクセスタイムの為に大きなメモリ容量のバッファ圧縮符号化部１１を有すること、また高速なアクセスを行うための強力な駆動回路を搭載することは回路規模、消費電力、機器重量の点で好ましくない。そこで、Ｓ８１において、記録容量が映像シーケンスを記録するために十分な領域が存在しないとして検出されるときにはＳ８２で記録ヘッドを長時間のアクセス時間が必要とされる内周の上書き領域に移動させ、記録開始ポインターのアドレスをそこに指定しておくことで録画中の長時間アクセスを防止することができる。Ｓ８３で更新された記録領域テーブルを記録媒体１８に記録し、記録動作を停止する。
【００１８】
図９及び図１０を用いて記録領域テーブルについて説明する。
図９は、記録媒体１８の内周から外周方向に記録するに際し、上書き禁止として指定された既記録領域と上書き許可領域として指定され、まだ上書きのされていない上書き許可領域を示したものである、その領域の下に記述されるｖ１、ｖ２、・・・・、ｖ１２はその領域の開始、終了に係るアドレス値である。ｖＥは記録媒体の記録領域の最外周アドレスである。
図１０は、図９に示す記録領域に対応する記録領域情報テーブルであり、映像信号記録再生装置の電源がオンされたときに記録媒体１８から読み出され、記録終了後に読み出されたテーブルが更新されて記録媒体１８に再記録される。その記録領域情報テーブルには既記録領域、及び上書き許可領域の開始終了位置、及び次の記録の開始位置が記述されている。消去順位には、「上書きＯＫである」を順位１として、「できたら上書きしたくない」を順位０とした順位が付されている。その順位付けは一連の映像撮影後に、図２により操作されて上書き許可された映像部分に対し、順位付け入力を可能とする図示しない画面を提示して行うようにしても良い。消去順位が同一の記録に対しては過去の記録の方から上書きしてもよい。
【００１９】
ｖ１２は次の記録開始位置としてそのアドレスを記述してある。
なお、次の記録開始位置は、記録開始直前に未記録領域を検索し、内周に近い部分から開始する方法もある。記録と次の記録との間に撮影の空き時間があるときなどに、記録が失敗したなどにより消去された未記録領域を検索し、見つかり次第記録対象領域をそこに設定して記録を続行する方法もある。
また、記録領域情報テーブルは上書き許可領域情報テーブルを基に更新し、更新された記録領域情報テーブルを記録媒体１８に記録するとして述べたが、記録領域情報テーブルと上書き許可領域情報テーブルの両者を記録媒体１８に記録し、その後の空き時間に記録領域情報テーブルを更新するようにしても良い。
【００２０】
なお、ここで、記録媒体１８に記録する圧縮符号化信号を、ＧＯＰ構造を有するＭＰＥＧ−２により生成された信号として述べたが、圧縮符号化の方法は他の方法、例えばモーションＪＰＥＧ（Joint Photographic Coding Experts Group）による方法、またはフラクタル符号化を応用した形式のものであっても良い。それらの符号化形式を用いる場合であっても入力される映像信号を所定フレーム毎に分割して動き補償に係る圧縮を行う場合ではその分割された信号が媒体上の離れた位置に記録される場合には上述と同様の課題が生じることもある。分割され、動きに係る冗長度を削減するように符号化された圧縮符号化信号の場合では分割された信号同士を、記録時、及び再生時にもアクセス時間を必要とする離れた位置に記録しないようにする。
また、上書きを行う場合の上書き優先順位を１つとして説明した。上書き優先順には「消去しても差し支えない」及び「できたら消去したくない」と言った優先順がある。最初の上書きは上書きしても差し支えのない領域に上書きし、次に上書きが消極的に希望される領域に記録を行うと、さらに使用者にとって好適な映像信号記録再生装置を構成することができる。
さらに、「消去しても差し支えない」の領域が複数あるときには例えば記録順の古い内周に記録された「消去しても差し支えない」から順に外周方向に上書き記録を行い、その終了後に「できたら消去したくない」を内周から順に上書き記録する。その順は１つおき、または２つおきに行う方法もある。
そしてまた、上書き記録する記録媒体は光学的に記録及び消去が可能な消去可能ＤＶＤを主に述べたが、他の磁気記録媒体や光磁気記録媒体を用いても同様に実現することができる。
【００２１】
以上のように、本発明の実施例として記述したアクセス可能な記録媒体に記録開始及び記録終了ボタンが操作されて得られる映像シーケンスの信号を記録する映像信号記録再生装置によれば、映像シーケンスの記録直後にその映像シーケンスの消去に係るレベルを付し、記録媒体に映像シーケンスの既記録されている複数の映像シーケンスの一覧テーブルを作成し、空領域が映像シーケンスの撮像画像で満たされた後は、一覧テーブルに記述される複数の同一レベルの消去可能領域のうち、選択される順に従って上書き記録する特段な構成があるので、仮に撮影中に記録領域が不足する場合であっても、記録を中断して過去に記録したファイルを消去するような領域確保操作を行うことなく撮影画像の記録を継続できるため、操作を簡便化し、目的とする映像信号の記録を逸することのない機能的な使用ができる映像信号の記録ができる。
そして、撮影された撮影画像の映像シーケンスを所定フレーム毎の画像に分割した後、圧縮符号化して得られた圧縮画像を選択された消去可能領域に所定フレームの先頭部分から上書き記録する格別な構成があるので、仮に領域切換え時に回転変動などによる時間の不一致が生じる場合であっても圧縮符号化された信号は所定フレームの先頭部分から連続して再生されるため、再生映像に誤り信号が含まれることのない撮像画像の記録方法を実現することができる。
また、消去可能として設定される記録領域は記録媒体の空き領域が不足するまで記録されているためその間映像信号を再生することが可能であるなど記録媒体の記録容量を有効に活用した映像信号の記録ができる。
そしてまた、記録可能領域を常に監視しているため記録中に記録媒体の最外周から最内周にアクセスして記録する動作を行わなくしているため映像信号を一時記憶するメモリーサイズを小さくできる他、記録ヘッド駆動部の消費電力を低減できる。装置を軽量に構成できる。
【産業上の利用可能性】
【００２２】
ＤＶＤカムコーダーなど、記録媒体を機械的にアクセスしつつ映像信号を記録する映像信号記録再生装置に適用できる。
【図面の簡単な説明】
【００２３】
【図１】本発明の実施に係る映像信号記録再生装置の概略構成例を示したブロック図である。
【図２】本発明の実施に係る上書き禁止に係る操作方法を提示した表示画面例の図である。
【図３】本発明の実施に係る記録媒体における上書き動作を説明するための図である。
【図４】本発明の実施に係る上書き情報テーブルの記述例を示した図である。
【図５】本発明の実施に係る記録領域と符号化データの関係を例示した図である。
【図６】本発明の実施に係る記録媒体における上書き動作の応用例を示した図である。
【図７】本発明の実施に係る上書き情報テーブルの記述応用例を示した図である。
【図８】本発明の実施に係る上書き記録の動作をフローチャートにより例示した図である。
【図９】本発明の実施に係る記録媒体における上書き動作を説明するための図である。
【図１０】本発明の実施に係る記録領域情報テーブルの記述例を示した図である。
【符号の説明】
【００２４】
１１    バッファ圧縮符号化部
１２    記録媒体書込み読出し部
１３    残り容量検出部
１４    記録領域情報テーブル作成部
１５    上書き許可領域情報テーブル作成部
１６    上書許可／禁止命令発生部
１７    表示部
１８    記録媒体
【図１】
2005354451.tif 000003
【図２】
2005354451.tif 000004
【図３】
2005354451.tif 000005
【図４】
2005354451.tif 000006
【図５】
2005354451.tif 000007
【図６】
2005354451.tif 000008
【図７】
2005354451.tif 000009
【図８】
2005354451.tif 000010
【図９】
2005354451.tif 000011
【図１０】
2005354451.tif 000012